(57)【要約】【課題】本発明では、事前に登録しておいたマクロ情報を用いて、コピーや送信のジョブを実行できる画像処理装置で、そのマクロ情報を用いた不正なジョブ実行を、今まで以上により確実に防ぐことを目的とする。【解決手段】開示の画像処理装置の一形態では、従来技術と異なり、マクロ情報呼び出し時に、マクロ情報として登録されている設定内容から、全設定内容にアクセス可能なアクセス権限を導出することで、そのマクロ情報に対する適切なアクセス権限を判断し、ジョブ実行に必要なアクセス権限を保持しているか否かを判断するので、マクロ情報を用いた不正なジョブ実行を、今まで以上により確実に防ぐことができる。他に、アクセス権限設定を行う管理の手間を省くことができる効果も期待できる。【選択図】図１
2010211416.tif 000002
【特許請求の範囲】
【請求項１】
アクセス可能な文書と該文書を送信可能な宛先とをユーザ毎に規定したユーザ権限情報と、一の文書と一の宛先との組み合わせである短縮設定情報とを有し、受け付けたジョブに応じて該短縮設定情報を参照し、該一の文書を該一の宛先に送信する画像処理装置であって、
前記短縮設定情報を登録する短縮設定情報登録手段と、
前記短縮設定情報登録手段により前記短縮設定情報を登録する際、前記ユーザ権限情報を参照して、該短縮設定情報の対象となる前記文書にアクセス可能であり、かつ、該短縮設定情報の対象となる前記宛先に該文書を送信可能なユーザに対し、該短縮設定情報の参照権限を割り当てるユーザ権限割当手段と、を有することを特徴とする画像処理装置。
【請求項２】
前記短縮設定情報の対象となる前記文書にアクセス可能であり、かつ、該短縮設定情報の対象となる前記宛先に該文書を送信可能なユーザが複数存在する場合、
前記ユーザ権限割当手段は、該当する複数のユーザを提示し、該複数のユーザの内選択されたユーザに対し、該短縮設定情報の参照権限を割り当てることを特徴とする請求項１に記載の画像処理装置。
【請求項３】
前記ユーザ権限情報が変更された場合、
前記ユーザ権限割当手段は、変更された前記ユーザ権限情報を参照して、前記短縮設定情報の参照権限を再度割り当てることを特徴とする請求項１又は２に記載の画像処理装置。
【請求項４】
前記ユーザ権限情報は、当該画像処理装置にログインしているユーザ毎に規定され、
前記短縮設定情報登録手段は、前記ユーザ権限情報を参照し、前記アクセス権限が必要な文書又は前記送信権限が必要な宛先を除いて前記短縮設定情報を登録し、
前記ユーザ権限割当手段は、前記ユーザ権限情報を提示し、提示された該ユーザ権限情報のうち選択された該ユーザ権限情報を参照して、前記短縮設定情報の欠落している部分に該当する文書又は宛先を挿入することを特徴とする請求項１乃至３の何れか一に記載の画像処理装置。
【請求項５】
前記ユーザ権限情報は、当該画像処理装置にログインしているユーザ毎に規定され、
前記短縮設定情報登録手段は、前記ユーザ権限情報を参照し、前記アクセス権限が必要な文書又は前記送信権限が必要な宛先を除いて前記短縮設定情報を登録し、
前記ユーザ権限割当手段は、前記短縮設定情報と該短縮設定情報に組合せ可能な前記ユーザ権限情報とを提示し、提示された中から選択された組合せに基づいて、該短縮設定情報の参照権限を割り当てることを特徴とする請求項１乃至３の何れか一に記載の画像処理装置。
【発明の詳細な説明】
【技術分野】
【０００１】
本発明は、画像処理装置において、セキュリティ上公開したくない情報の不正使用を防ぎつつ、マクロの目的である操作の簡便さが失われないようなマクロ操作を実現するための技術に関する。
【背景技術】
【０００２】
操作を簡単に行うために、複雑な操作手順をあらかじめ登録しておき、ワンタッチで呼び出せるような技術が既に知られている。一方、マクロ登録を実施する際に、操作の全ての情報をマクロ情報として登録してしまうとセキュリティ上好ましくない場合がある。例えば、FAX送信を行う際に設定する送信先情報や送信者名等である。
【０００３】
特許文献１には、一度設定した編集情報の設定内容を再度利用することができ、また、効率よく編集情報を設定することが可能な複写機が開示されている。
【発明の概要】
【発明が解決しようとする課題】
【０００４】
しかし、今までのマクロ登録／呼び出し技術では、セキュリティ性を確保するための方法として、マクロにアクセス制限を設けて呼び出すことのできるユーザを制限することが考えられるが、アクセス権を手動で設定する作業は煩雑な作業となってしまい、本来操作を簡便化することが目的であるマクロの利点を損なってしまう問題点があった。
【０００５】
そこで、本発明では、事前に登録しておいたマクロ情報を用いて、コピーや送信のジョブを実行できる画像処理装置で、そのマクロ情報を用いた不正なジョブ実行を、今まで以上により確実に防ぐことを目的とする。さらに、アクセス権限設定を行う管理の手間を省くことを目的とする。
【課題を解決するための手段】
【０００６】
開示の画像処理装置の一形態では、従来技術と異なり、マクロ情報呼び出し時に、マクロ情報として登録されている設定内容から、全設定内容にアクセス可能なアクセス権限を導出することで、そのマクロ情報に対する適切なアクセス権限を判断し、ジョブ実行に必要なアクセス権限を保持しているか否かを判断するので、マクロ情報を用いた不正なジョブ実行を、今まで以上により確実に防ぐことができる。他に、アクセス権限設定を行う管理の手間を省くことができる効果も期待できる。
【０００７】
また、開示の画像処理装置の一形態では、従来技術と異なり、マクロ情報として登録されている設定内容から、全設定内容にアクセス可能なアクセス権限を導出することで、そのマクロ情報に対する適切なアクセス権限を判断し、マクロ情報に導出したアクセス権限を自動的に付与するので、マクロ情報を実行する前に、あらかじめ利用可能なマクロ情報が分かることで、ユーザによる無駄な実行指示の手間を減らすことができる。また実行可能なマクロ情報のみを表示することで、マクロ情報一覧の閲覧性を高めることができる。
【０００８】
また、開示の画像処理装置の一形態では、マクロ情報として登録されている設定内容から、全設定内容にアクセス可能なアクセス権限を導出することで、そのマクロ情報に対する適切なアクセス権限を判断し、マクロ情報に対するアクセス権限を提示される候補の中から選択するので、マクロ情報に対するアクセス権限を、提示される候補の中から選択することで、適切なアクセス権限を設定できるだけでなく、より堅牢なセキュリティを確保することができる。
【０００９】
また、開示の画像処理装置の一形態では、マクロ情報の中で参照している登録情報のアクセス権限が変更されたとき、その変更内容に合わせてマクロ情報に対するアクセス権限を自動的に更新するので、マクロ情報の中で参照している登録情報のアクセス権限が変更されたとき、その変更内容に合わせてマクロ情報に対するアクセス権限を自動的に更新することで、マクロ情報に対するアクセス権限が不適切な設定となるのを防ぐことができ、セキュリティを確保することができる。
【００１０】
また、開示の画像処理装置の一形態では、従来技術と異なり、マクロ情報に、アクセス権限が必要となる設定は記憶しないので、マクロ情報に、アクセス権限が必要となる設定は記憶しないことで、不正なマクロ情報の使用を防ぐことができる。
【００１１】
また、開示の画像処理装置の一形態では、マクロ情報の実行に必要となる設定の不足分を、あらかじめ登録しておいたテンプレート情報を用いて補完するので、マクロ情報の実行に必要となる設定の不足分を、あらかじめ登録しておいたテンプレート情報を用いて補完することで、設定の不足分を逐一設定する手間を省くことができる。
【００１２】
また、開示の画像処理装置の一形態では、設定の不足で即実行できないマクロ情報と、あらかじめ登録しておいたテンプレート情報を、ユーザ認証時にマージして、実行可能なマクロ情報を自動生成するので、設定の不足で即実行できないマクロ情報と、あらかじめ登録しておいたテンプレート情報を、ユーザ認証時にマージして、実行可能なマクロ情報を自動生成することで、今まで以上により少ない手順でマクロ情報の実行を行うことができる。
【発明の効果】
【００１３】
開示の画像処理装置では、マクロ情報を用いた不正なジョブ実行を、今まで以上により確実に防ぎ、アクセス権限設定を行う管理の手間を省くことができる。
【図面の簡単な説明】
【００１４】
【図１】本実施の形態に係る画像処理装置の構成例である。
【図２】本実施の形態に係る設定内容例である。
【図３】本実施の形態に係る登録済みユーザアカウント例である。
【図４】本実施の形態に係るストレージに保存されている文書データ例である。
【図５】本実施の形態に係るストレージに保存されている宛先データ例である。
【図６】本実施の形態に係る登録済みマクロ例である。
【図７】本実施の形態に係る登録済みアクセス権限付きマクロ例である。
【図８】本実施の形態に係るマクロのアクセス権自動登録のフローチャートである。
【図９】本実施の形態に係るマクロのアクセス権ユーザ登録のフローチャートである。
【図１０】本実施の形態に係るマクロアクセス権設定画面例である。
【図１１】本実施の形態に係るマクロのアクセス権更新処理のフローチャートである。
【図１２】本実施の形態に係る権限確認をしてマクロ実行をするフローチャートである。
【図１３】本実施の形態に係るマクロ情報をストレージに記憶するフローチャートである。
【図１４】本実施の形態に係る登録マクロ例である。
【図１５】本実施の形態に係るテンプレート設定画面例である。
【図１６】本実施の形態に係るテンプレート例である。
【図１７】本実施の形態に係るテンプレート登録のフローチャートである。
【図１８】本実施の形態に係るテンプレート選択画面例である。
【図１９】本実施の形態に係るテンプレート適用のフローチャートである。
【図２０】本実施の形態に係るテンプレート適用マクロの選択画面例である。
【図２１】本実施の形態に係るテンプレート適用マクロの実行フローチャートである。
【発明を実施するための形態】
【００１５】
図面を参照しながら、本発明を実施するための最良の形態について説明する。
＜第１の実施例＞
図１に本実施の形態に係る画像処理装置１００の構成例を示す。図１で示すように画像処理装置１００には、利用者からの入力と利用者への表示とを兼ねるタッチディスプレイ１１０と、そこに表示する内容を制御する表示内容制御部１２０、および情報の記憶を行うストレージ１３０が含まれる。画像処理装置１００は、指定した電子メールアドレスに、任意の文書ファイルを送信する処理を行う。図２で画像処理装置１００を実行するために設定できる項目を示す。画像処理装置１００では、全ての作業に先立ち、ユーザは自分のユーザアカウントで画像処理装置１００にログインしておく必要があり、図３で示すユーザアカウントが既に画像処理装置１００に登録されている。
【００１６】
また、ストレージ１３０には図４で示す文書データと図５で示す宛先データが、アクセス権限設定と共に記憶されている。これらのデータには、アクセス権限に記載のユーザアカウントのみからしかアクセスすることはできない。ただし、アクセス権限が「ａｌｌ」の場合は、何れのユーザアカウントからもアクセス可能であることを示す。
【００１７】
図６で画像処理装置１００に既に記憶されているマクロの例を示す。ユーザがマクロを選択して実行を指示すると、画像処理装置１００は選択されたマクロの設定内容が参照するデータに対して、ユーザがアクセス権限をもっているかどうかを確認する。全てのデータに対してアクセス権限をもっていれば、マクロを実行する。一方、一つでもアクセス権限を持っていないデータが含まれていれば、画像処理装置１００はユーザにマクロが実行できないことを通知する。例えば、ユーザアカウント「ｂａｒ」でログインして、「文書Ｂ送信」マクロの実行を試みた場合は、宛先データに相当する「ｂ」へのアクセス権限がないため、画像処理装置１００はマクロが実行できないことをユーザに通知する。
【００１８】
開示の画像処理装置では、従来技術と異なり、マクロ情報呼び出し時に、マクロ情報として登録されている設定内容から、全設定内容にアクセス可能なアクセス権限を導出することで、そのマクロ情報に対する適切なアクセス権限を判断し、ジョブ実行に必要なアクセス権限を保持しているか否かを判断するので、マクロ情報を用いた不正なジョブ実行を、今まで以上により確実に防ぐことができる。他に、アクセス権限設定を行う管理の手間を省くことができる効果も期待できる。
【００１９】
＜第２の実施例＞
図１で示すように、第２の実施例における画像処理装置１００の構成例は、第１の実施例と同じである。
【００２０】
新規マクロ登録の際には、ユーザは、画像処理装置１００に新規マクロの登録開始を指示する。すると、画像処理装置１００は新規マクロの名称入力欄と設定項目欄を表示する。全ての入力欄の入力を終えて、ユーザがマクロの登録を指示すると、画像処理装置１００は各設定項目のアクセス権限をストレージ１３０から取得する。
【００２１】
画像処理装置１００は、「ａｌｌ」は全てのユーザにアクセス権があるとみなし、全ての設定項目に共通するユーザをマクロ情報のアクセス権とし、図８のＳ１０−８０でストレージ１３０に保存する手順を示す。
【００２２】
例えば、画像処理装置１００が図４の文書データと図５の宛先データをストレージ１３０に保存している場合、ユーザが「文書Ｂ」を「宛先ｂ」に「文書Ｂです」という件名で送信するマクロを「文書Ｂ送信」という名称でマクロ登録する場合、「文書Ｂ」のアクセス権限と、「宛先ｂ」のアクセス権限に共通するユーザ「ｈｏｇｅ」がマクロ「文書Ｂ送信」のアクセス権として登録される。
【００２３】
ユーザがマクロを実行したい場合は、まず画像処理装置１００に記憶済みマクロの一覧表示を指示する。画像処理装置１００は記録済みマクロのアクセス権を確認し、ユーザがアクセス権のあるマクロの一覧をディスプレイ１１０上に表示する。ユーザがマクロを選択し実行を指示すると、画像処理装置１００はマクロを実行する。例えば、ユーザアカウント「ｈｏｇｅ」でログインした場合、タッチディスプレイ１１０上には、「文書Ｂ送信」のマクロのみ表示され、第１の実施例とは異なり、「文書Ｃ送信」のマクロは表示されない。
【００２４】
開示の画像処理装置では、従来技術と異なり、マクロ情報として登録されている設定内容から、全設定内容にアクセス可能なアクセス権限を導出することで、そのマクロ情報に対する適切なアクセス権限を判断し、マクロ情報に導出したアクセス権限を自動的に付与するので、マクロ情報を実行する前に、あらかじめ利用可能なマクロ情報が分かることで、ユーザによる無駄な実行指示の手間を減らすことができる。また実行可能なマクロ情報のみを表示することで、マクロ情報一覧の閲覧性を高めることができる。
【００２５】
（１）新規マクロ登録の際には、ユーザは、画像処理装置１００に新規マクロの登録開始を指示する。すると画像処理装置１００は新規マクロの名称入力欄と設定項目欄を表示する。全ての入力欄の入力を終えて、ユーザがマクロの登録を指示すると、画像処理装置１００は各設定項目のアクセス権限をストレージ１３０から取得する。
【００２６】
画像処理装置１００は、「ａｌｌ」は全てのユーザにアクセス権があるとみなし、全ての設定項目に共通するユーザをマクロ情報のアクセス権としてユーザに選択肢を表示する。ユーザが選択を終え、アクセス権の設定を指示すると、画像処理装置１００は指示されたアクセス権をマクロ情報のアクセス権としてストレージ１３０に保存する。この手順を図９のＳ９０−１８０で示す。例えば、画像処理装置１００が図４の文書データと図５の宛先データをストレージに保存している場合、ユーザが「文書Ａ」を「宛先ａ」に「文書Ａです」という件名で送信するマクロを「文書Ａ送信」という名称でマクロ登録する場合、タッチディスプレイ１１０上に図１０の画面が表示される。
【００２７】
開示の画像処理装置では、マクロ情報として登録されている設定内容から、全設定内容にアクセス可能なアクセス権限を導出することで、そのマクロ情報に対する適切なアクセス権限を判断し、マクロ情報に対するアクセス権限を提示される候補の中から選択するので、マクロ情報に対するアクセス権限を、提示される候補の中から選択することで、適切なアクセス権限を設定できるだけでなく、より堅牢なセキュリティを確保することができる。
【００２８】
（２）画像処理装置１００の利用に先立ち、図７のマクロ及び図４の文書データ、図５の宛先データが登録済みとする。ユーザが登録情報のアクセス権限を変更した場合に、画像処理装置１００は記録済みマクロの一覧から、登録情報に該当するマクロを取得する。画像処理装置１００は該当するマクロの各設定項目のアクセス権限をストレージ１３０から取得する。
【００２９】
画像処理装置１００は、「ａｌｌ」は全てのユーザにアクセス権があるとみなし、全ての設定項目に共通するユーザをマクロ情報のアクセス権とし、ストレージ１３０に保存する。画像処理装置１００は、登録情報に該当する全てのマクロに対して繰り返し実行する。この手順を図１１のＳ１９０−２５０に示す。例えば、図４の「文書Ａ」のアクセス権限「ａｌｌ」を「ｈｏｇｅ」に変更した場合、図７の「文書Ａ送信」マクロのアクセス権限は「ａｌｌ」から「ｈｏｇｅ」に変更される。
【００３０】
開示の画像処理装置では、マクロ情報の中で参照している登録情報のアクセス権限が変更されたとき、その変更内容に合わせてマクロ情報に対するアクセス権限を自動的に更新するので、マクロ情報の中で参照している登録情報のアクセス権限が変更されたとき、その変更内容に合わせてマクロ情報に対するアクセス権限を自動的に更新することで、マクロ情報に対するアクセス権限が不適切な設定となるのを防ぐことができ、セキュリティを確保することができる。
【００３１】
＜第３の実施例＞
図１で示すように、第３の実施例における画像処理装置１００の構成例は、第１の実施例と同じである。
【００３２】
新規マクロの登録の際には、ユーザは、画像処理装置１００に新規マクロの登録開始を指示する。すると画像処理装置１００は新規マクロの名称入力欄と設定項目入力欄を表示する。全ての入力欄の入力を終えて、ユーザがマクロの登録を指示すると、画像処理装置１００は各設定項目のアクセス制限設定をストレージ１３０から取得する。画像処理装置１００は、各設定項目のアクセス制限が「ａｌｌ」であるもの以外はアクセス制限が存在するとみなし、その設定項目を除いた設定で、マクロ情報をストレージに記憶する。この手順を図１３のＳ３５０−４２０に示す。
【００３３】
例えば、マクロの名称を「文書Ｃ送信」、宛先を「ｃ」、件名を「文書Ｃです」、文書データを「文書Ｃ」として新規マクロを登録しようとすると、宛先「c」はユーザ「ｈｏｇｅ」、文書「Ｃ」はユーザ「ｂａｒ」にしかアクセスできないように制限が掛かっていることが検出される。そこで、図１４の「文書Ｃ送信」マクロのように、宛先と文書データが未設定としてマクロが登録される。
【００３４】
開示の画像処理装置では、従来技術と異なり、マクロ情報に、アクセス権限が必要となる設定は記憶しないので、マクロ情報に、アクセス権限が必要となる設定は記憶しないことで、不正なマクロ情報の使用を防ぐことができる。
【００３５】
（１）画像処理装置１００の利用に先立ち、ユーザは自分用の設定テンプレートを画像処理装置１００に登録する。ログインしたユーザは、画像処理装置１００に新規テンプレートの登録開始を指示する。すると画像処理装置１００は、図１５で示すような新規テンプレート入力画面をタッチディスプレイ１１０上に表示する。設定したい項目の入力を全て終えたら、ユーザは画像処理装置１００にテンプレートの記憶を指示する。画像処理装置１００は、ユーザアカウントと紐付けて、入力されたテンプレートをストレージ１３０に図１６のようなテーブルで記憶する。この手順を図１７のＳ４３０−４９０で示す。
【００３６】
ユーザがマクロを実行したい場合は、まず画像処理装置１００に記憶済みマクロの一覧表示を指示する。画像処理装置１００がマクロの一覧をタッチディスプレイ１１０上に表示するので、ユーザはこのうち一つを選択する。画像処理装置１００は選択されたマクロをストレージ１３０から読み込み、設定項目に不足がないか確認する。不足があった場合は、画像処理装置１００はログイン中のユーザアカウントに紐付けられたテンプレートをストレージ１３０から取得し、タッチディスプレイ１１０上に図１８で示すように表示する。
【００３７】
このうち１つをユーザが選択すると、画像処理装置１００は選択されたテンプレートの設定内容で、マクロの設定不足項目を補完し、ジョブを実行する。この手順を図１９のＳ５００−５９０に示す。例えば、ユーザアカウント「ｈｏｇｅ」でログインして、「文書Ｂ送信」マクロを選択すると、宛先が未設定であることが検出される。そこで画像処理装置１００は、ユーザアカウント「ｈｏｇｅ」に紐づいたテンプレートＡとテンプレートＢをユーザに提示する。ユーザがテンプレートＡを選ぶと、テンプレートＡの宛先に設定されている「ｄ＠ｘｘｘ．ｃｏｍ」を宛先として設定し、マクロを補完する。
【００３８】
開示の画像処理装置では、マクロ情報の実行に必要となる設定の不足分を、あらかじめ登録しておいたテンプレート情報を用いて補完するので、マクロ情報の実行に必要となる設定の不足分を、あらかじめ登録しておいたテンプレート情報を用いて補完することで、設定の不足分を逐一設定する手間を省くことができる。
【００３９】
（２）画像処理装置１００の利用に先立ち、ユーザは自分用の設定テンプレートを画像処理装置１００に登録する。ログインしたユーザは、画像処理装置１００に新規テンプレートの登録開始を指示する。すると画像処理装置１００は、図１５で示すような新規テンプレート入力画面をタッチディスプレイ１１０上に表示する。設定したい項目の入力を全て終えたら、ユーザは画像処理装置１００にテンプレートの記憶を指示する。画像処理装置１００は、ユーザアカウントと紐付けて、入力されたテンプレートをストレージ１３０に図１６で示すようなテーブルで記憶する。この手順を図１７で示す。
【００４０】
ユーザがマクロを実行したい場合は、まず画像処理装置１００に記憶済みマクロの一覧表示を指示する。すると画像処理装置１００は、記憶済みのマクロをストレージ１３０から読み込む。もし、その中に設定内容に不足のあるマクロが含まれていれば、ログイン中のユーザアカウントに紐付けられたテンプレートを読み込んで、設定不足の全マクロと全テンプレートの組み合わせの数だけ、ユーザ提示用のマクロを作成する。
【００４１】
画像処理装置１００は、もともと設定内容に不足の無いマクロとユーザ提示用のマクロをタッチディスプレイ１１０上に表示する。ユーザは、マクロを１つ指定すると、そのマクロの設定に従って、ジョブが実行される。この手順を図２１のＳ６００−７６０で示す。例えば、ユーザ「ｈｏｇｅ」がログインすると、図２０で示すような５つのマクロが選択可能になる。このとき「文書Ｂ送信＋テンプレートＡ」マクロを選択すると、宛先は「ｄ＠ｘｘｘ．ｃｏｍ」、件名は「文書Ｂです」、文書データは「文書Ｂ」の設定で、送信が実行される。
【００４２】
開示の画像処理装置では、設定の不足で即実行できないマクロ情報と、あらかじめ登録しておいたテンプレート情報を、ユーザ認証時にマージして、実行可能なマクロ情報を自動生成するので、設定の不足で即実行できないマクロ情報と、あらかじめ登録しておいたテンプレート情報を、ユーザ認証時にマージして、実行可能なマクロ情報を自動生成することで、今まで以上により少ない手順でマクロ情報の実行を行うことができる。
【００４３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４４】
１００  画像処理装置
１１０  ディスプレイ
１２０  表示内容制御部
１３０  ストレージ
【先行技術文献】
【特許文献】
【００４５】
【特許文献１】特開２００７−１６６０１６号公報
【図１】
2010211416.tif 000003
【図２】
2010211416.tif 000004
【図３】
2010211416.tif 000005
【図４】
2010211416.tif 000006
【図５】
2010211416.tif 000007
【図６】
2010211416.tif 000008
【図７】
2010211416.tif 000009
【図８】
2010211416.tif 000010
【図９】
2010211416.tif 000011
【図１０】
2010211416.tif 000012
【図１１】
2010211416.tif 000013
【図１２】
2010211416.tif 000014
【図１３】
2010211416.tif 000015
【図１４】
2010211416.tif 000016
【図１５】
2010211416.tif 000017
【図１６】
2010211416.tif 000018
【図１７】
2010211416.tif 000019
【図１８】
2010211416.tif 000020
【図１９】
2010211416.tif 000021
【図２０】
2010211416.tif 000022
【図２１】
2010211416.tif 000023